(57)【要約】【課題】組み付け作業の容易性を確保すること。【解決手段】複数の電線４０の導体部４１同士を接続してボンダーキャップ３０を被せた複数の電線束４５と、複数の電線束４５が有する複数のボンダーキャップ３０を一体に巻き付けることにより複数のボンダーキャップ３０を結束する結束部材５０と、結束部材５０によって結束された状態の複数のボンダーキャップ３０が挿入され当該複数のボンダーキャップ３０を一体で収容する収容部２０と、を備える。【選択図】図８
2020089158.tif 000002
【特許請求の範囲】
【請求項１】
複数の電線の導体部同士を接続してボンダーキャップを被せた複数の電線束と、
複数の前記電線束が有する複数の前記ボンダーキャップを一体に巻き付けることにより複数の前記ボンダーキャップを結束する結束部材と、
前記結束部材によって結束された状態の複数の前記ボンダーキャップが挿入され当該複数の前記ボンダーキャップを一体で収容する収容部と、
を備えることを特徴とするボンダーキャップの収容構造。
【請求項２】
前記結束部材は、前記ボンダーキャップにおける先端側の位置で複数の前記ボンダーキャップを結束する請求項１に記載のボンダーキャップの収容構造。
【請求項３】
電子部品を収容する筐体と、
前記筐体に設けられるボンダーキャップの収容構造とを備え、
前記ボンダーキャップの収容構造は、
複数の電線の導体部同士を接続してボンダーキャップを被せた複数の電線束と、
複数の前記電線束が有する複数の前記ボンダーキャップを一体に巻き付けることにより複数の前記ボンダーキャップを結束する結束部材と、
前記結束部材によって結束された状態の複数の前記ボンダーキャップが挿入され当該複数の前記ボンダーキャップを一体で収容する収容部と、
を備えることを特徴とする電気接続箱。
【請求項４】
導電性を有する配索材と、
前記配索材と接続される電気接続箱とを備え、
前記電気接続箱は、
電子部品を収容する筐体と、
前記筐体に設けられるボンダーキャップの収容構造とを備え、
前記ボンダーキャップの収容構造は、
前記配索材を構成する複数の電線の導体部同士を接続してボンダーキャップを被せた複数の電線束と、
複数の前記電線束が有する複数の前記ボンダーキャップを一体に巻き付けることにより複数の前記ボンダーキャップを結束する結束部材と、
前記結束部材によって結束された状態の複数の前記ボンダーキャップが挿入され当該複数の前記ボンダーキャップを一体で収容する収容部と、
を備えることを特徴とするワイヤハーネス。
【発明の詳細な説明】
【技術分野】
【０００１】
本発明は、ボンダーキャップの収容構造、電気接続箱、及びワイヤハーネスに関する。
【背景技術】
【０００２】
自動車等の車両に搭載される電気接続箱に配索される電線の中には、複数の電線の端部の導体を互いに電気的に接続し、当該接続部に、いわゆるボンダーキャップが被せられて配索されるものがある。例えば、特許文献１〜３には、複数の電線の端部を電気的に接続し、ボンダーキャップを被せた状態で電気接続箱に収容される電線が記載されている。
【先行技術文献】
【特許文献】
【０００３】
【特許文献１】特許第３３３４０９９号公報
【特許文献２】特許第５８９６４１６号公報
【特許文献３】特開２００７−６６６６２号公報
【発明の概要】
【発明が解決しようとする課題】
【０００４】
ここで、近年では、電子部品の増加に伴い、自動車に配索される電線の数も増加傾向になる。これにより、複数の電線を接続してボンダーキャップを被せた電線の束も増加する傾向になる。ボンダーキャップで保護する電線の束は、ボンダーキャップを被せた後に電気接続箱に収容して組み付けるが、ボンダーキャップが多い場合、この組み付け作業が煩雑になる虞があった。
【０００５】
本発明は、上記に鑑みてなされたものであって、組み付け作業の容易性を確保することのできるボンダーキャップの収容構造、電気接続箱、及びワイヤハーネスを提供することを目的とする。
【課題を解決するための手段】
【０００６】
上述した課題を解決し、目的を達成するために、本発明に係るボンダーキャップの収容構造は、複数の電線の導体部同士を接続してボンダーキャップを被せた複数の電線束と、複数の前記電線束が有する複数の前記ボンダーキャップを一体に巻き付けることにより複数の前記ボンダーキャップを結束する結束部材と、前記結束部材によって結束された状態の複数の前記ボンダーキャップが挿入され当該複数の前記ボンダーキャップを一体で収容する収容部と、を備えることを特徴とする。
【０００７】
また、上記ボンダーキャップの収容構造において、前記結束部材は、前記ボンダーキャップにおける先端側の位置で複数の前記ボンダーキャップを結束することが好ましい。
【０００８】
また、上述した課題を解決し、目的を達成するために、本発明に係る電気接続箱は、電子部品を収容する筐体と、前記筐体に設けられるボンダーキャップの収容構造とを備え、前記ボンダーキャップの収容構造は、複数の電線の導体部同士を接続してボンダーキャップを被せた複数の電線束と、複数の前記電線束が有する複数の前記ボンダーキャップを一体に巻き付けることにより複数の前記ボンダーキャップを結束する結束部材と、前記結束部材によって結束された状態の複数の前記ボンダーキャップが挿入され当該複数の前記ボンダーキャップを一体で収容する収容部と、を備えることを特徴とする。
【０００９】
また、上述した課題を解決し、目的を達成するために、本発明に係るワイヤハーネスは、導電性を有する配索材と、前記配索材と接続される電気接続箱とを備え、前記電気接続箱は、電子部品を収容する筐体と、前記筐体に設けられるボンダーキャップの収容構造とを備え、前記ボンダーキャップの収容構造は、前記配索材を構成する複数の電線の導体部同士を接続してボンダーキャップを被せた複数の電線束と、複数の前記電線束が有する複数の前記ボンダーキャップを一体に巻き付けることにより複数の前記ボンダーキャップを結束する結束部材と、前記結束部材によって結束された状態の複数の前記ボンダーキャップが挿入され当該複数の前記ボンダーキャップを一体で収容する収容部と、を備えることを特徴とする。
【発明の効果】
【００１０】
本発明に係るボンダーキャップの収容構造、電気接続箱、及びワイヤハーネスは、複数のボンダーキャップを一体にした状態で結束部材を巻き付けることにより複数のボンダーキャップを結束し、結束部材によって結束された複数のボンダーキャップを一体で収容部によって収容するため、ボンダーキャップが複数用いられる場合でも、複数のボンダーキャップを容易に組み付けることができる。この結果、組み付け作業の容易性を確保することができる、という効果を奏する。
【図面の簡単な説明】
【００１１】
【図１】図１は、実施形態に係る電気接続箱の斜視図である。
【図２】図２は、図１に示す電気接続箱を下側から見た斜視図である。
【図３】図３は、図２のＡ部詳細図である。
【図４】図４は、図２に示す収容部からボンダーキャップを取り除いた状態を示す説明図である。
【図５】図５は、図４に示す収容部の断面図である。
【図６】図６は、図３に示すボンダーキャップについての説明図である。
【図７】図７は、図６に示すボンダーキャップを複数用いて結束した状態の説明図である。
【図８】図８は、図７に示す複数のボンダーキャップを収容部に収容した状態を示す要部断面図である。
【発明を実施するための形態】
【００１２】
以下に、本発明に係るボンダーキャップの収容構造、電気接続箱、及びワイヤハーネスの実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００１３】
なお、以下の説明では、互いに交差する３つの方向を便宜的にそれぞれ「第１方向Ｘ」、「第２方向Ｙ」、「第３方向Ｚ」という。ここでは、第１方向Ｘと第２方向Ｙと第３方向Ｚとは、相互に直交する。典型的には、第３方向Ｚは、後述する収容部２０に対するボンダーキャップ３０の挿入方向に相当し、後述するアッパーカバーとフレーム１２とアンダーカバー１３とが積層される方向に相当する。第１方向Ｘと第２方向Ｙは、それぞれ第３方向Ｚに対して直交する方向である。また、以下の説明では、第３方向Ｚにおいて、フレーム１２に対してアッパーカバーが位置する側を上方或いは上側と呼び、フレーム１２に対してアンダーカバー１３が位置する側を下方或いは下側と呼ぶこともある。
【００１４】
［実施形態］
図１は、実施形態に係る電気接続箱１の斜視図である。実施形態に示す電気接続箱１は、自動車等の車両に搭載され、ワイヤハーネスＷＨに組み込まれる。ワイヤハーネスＷＨは、例えば、車両に搭載される各機器間の接続のために、電源供給や信号通信に用いられる複数の配索材Ｗを束にして集合部品とし、コネクタ等で複数の配索材Ｗを各機器に接続するようにしたものである。ワイヤハーネスＷＨは、導電性を有する配索材Ｗと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。ワイヤハーネスＷＨは、複数の配索材Ｗを束ねて集約すると共に、束ねられた配索材Ｗの端末に設けられたコネクタ等を介して電気接続箱１が電気的に接続される。ワイヤハーネスＷＨは、この他、さらに、グロメット、プロテクタ、固定具等を含んで構成されてもよい。
【００１５】
電気接続箱１は、コネクタ、ヒューズ、リレー、コンデンサ、分岐部、電子制御ユニット等の電装品を集約して内部に収容するものである。電気接続箱１は、例えば、車両のエンジンルームや車両室内に設置される。電気接続箱１は、配索材Ｗ等を介して、バッテリ等の電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。
【００１６】
具体的には、電気接続箱１は、筐体１０と、種々の電子部品５とを備えている。筐体１０は、樹脂材料からなり、電子部品５を収容することが可能になっている。また、筐体１０は、フレーム１２と、フレーム１２の上部に取り付けられるアッパーカバー（図示省略）と、フレーム１２の下部に取り付けられるアンダーカバー１３とを有している。なお、図１は、アッパーカバーが取り外された状態を示す図になっている。
【００１７】
図２は、図１に示す電気接続箱１を下側から見た斜視図である。なお、図２は、アンダーカバー１３を取り外した電気接続箱１を下側から見た斜視図になっている。フレーム１２の内壁１５には、電子部品５を搭載するベース１７の下側に、ジョイントコネクタ６を接続するコネクタホルダ１６が配置されている。コネクタホルダ１６は、フレーム１２の内壁１５における下端寄りの位置、即ち、アンダーカバー１３（図１参照）寄りの位置に配置されている。コネクタホルダ１６は、ジョイントコネクタ６を内壁１５の直交する方向に挿抜することができる向きで配設されている。また、フレーム１２の内側には、ボンダーキャップ３０を収容する収容部２０が設けられている。
【００１８】
図３は、図２のＡ部詳細図である。収容部２０は、複数のボンダーキャップ３０を収容することが可能になっている。また、収容部２０は、開口部２５が、第３方向Ｚにおける収容部２０の下端に位置して第３方向Ｚにおける下側に向かって開口している。ボンダーキャップ３０は、下側に向かって開口する収容部２０に対して、第３方向Ｚにおける上側に向かって収容部２０に収容されている。なお、図３では、上下方向が反転しており、紙面の上側が、電気接続箱１における下側になっている。
【００１９】
図４は、図２に示す収容部２０からボンダーキャップ３０を取り除いた状態を示す説明図である。図５は、図４に示す収容部２０の断面図である。収容部２０は、フレーム１２の内壁１５に立設される壁部２１と、収容部２０の第３方向Ｚにおける開口部２５が位置する側の反対側に位置して収容部２０を閉塞する底部２２とを有している。詳しくは、本実施形態では、収容部２０は、フレーム１２における２方向の内壁１５が交わる部分付近に配設されており、即ち、フレーム１２の内側の角部付近に形成されている。このように、収容部２０が配設されるフレーム１２の内側の角部を形成する２方向の内壁１５も、収容部２０を構成している。
【００２０】
収容部２０が有する壁部２１は、２つの壁部２１が、２方向の内壁１５のそれぞれから立設することによって形成されている。このため、２つの壁部２１も、配設される向きが互いに異なっており、２方向の内壁１５のうち、一方の内壁１５から第１方向Ｘに向かって立設される壁部２１と、他方の内壁１５から第２方向Ｙに向かって立設される壁部２１とを有している。これらのように、配設される向きが互いに異なる２つの壁部２１は、角部を形成するように互いに交わっている。このため、収容部２０は、第３方向Ｚに見た場合における形状が、２方向の内壁１５と２つの壁部２１とにより形成される、略矩形状の形状になっている。
【００２１】
底部２２は、収容部２０の第３方向Ｚにおける開口部２５が位置する側の反対側に位置して、２方向の内壁１５と２つの壁部２１とに接続されており、これにより、底部２２は、第３方向Ｚにおける開口部２５が位置する側の反対側の位置で収容部２０を閉塞している。本実施形態では、底部２２は、収容部２０における上端側に位置しており、収容部２０における上端側を閉塞している。また、本実施形態では、底部２２は、段差を有しており、第３方向Ｚにおける位置が互いに異なる部分を有している。
【００２２】
図６は、図３に示すボンダーキャップ３０についての説明図である。ボンダーキャップ３０は、一端が閉塞される有底の略円筒形の形状で形成されており、合成樹脂製の部材になっている。ボンダーキャップ３０は、配索材Ｗを構成する複数の電線４０の導体部４１同士を接続したものに対して、導体部４１を保護するように被せることが可能になっている。詳しくは、複数の電線４０はそれぞれ被覆電線になっており、各電線４０は、端部で絶縁被覆が除去されて導体部４１である芯線が露出される。複数の電線４０は、露出した芯線同士、即ち、露出した導体部４１同士が溶接等によって電気接続される。これにより、複数の電線４０は、導体部４１同士が接続される。
【００２３】
ボンダーキャップ３０は、このように導体部４１同士が接続された複数の電線４０に対して、導体部４１を覆うように被せられる。即ち、ボンダーキャップ３０は、有底の略円筒形の形状で形成されているため、閉塞されている側の端部である先端部３１の反対側から、電線４０に被せる。これにより、複数の電線４０における互いに接続されている導体部４１をボンダーキャップ３０の内部に入り込ませ、導体部４１を含めた、電線４０における導体部４１側の端部付近を、ボンダーキャップ３０の内部に入り込ませる。
【００２４】
ボンダーキャップ３０は、このように電線４０の導体部４１側の端部付近を内部に入り込ませ、導体部４１が接続された部分を覆うことにより、防水や絶縁等の役割を果たすことが可能になっている。また、このように、導体部４１同士を接続してボンダーキャップ３０を被せた複数の電線４０は、電線束４５を構成している。収容部２０（図３参照）は、複数のボンダーキャップ３０を収容可能になっているため、複数の電線４０にボンダーキャップ３０を被せた電線束４５は、複数が用いられる。
【００２５】
なお、図６では、ボンダーキャップ３０が被せられる電線４０は、一例として２本の電線４０の導体部４１が接続されるものになっているが、ボンダーキャップ３０が被せられる電線４０は、３本以上の電線４０の導体部４１が接続され、３本以上の電線４０にボンダーキャップ３０が被せられてもよい。
【００２６】
図７は、図６に示すボンダーキャップ３０を複数用いて結束した状態の説明図である。収容部２０（図３参照）には、複数のボンダーキャップ３０が収容されるが、複数のボンダーキャップ３０は、結束部材５０によって結束された状態で収容される。ボンダーキャップ３０を結束する結束部材５０は、帯状の部材からなり、本実施形態では粘着テープが用いられる。帯状の部材からなる結束部材５０は、複数の電線束４５が有する複数のボンダーキャップ３０を、向きを揃えて束ねた状態で一体に巻き付けることにより、複数のボンダーキャップ３０を結束する。
【００２７】
その際に、結束部材５０は、ボンダーキャップ３０における先端側の位置で、複数のボンダーキャップ３０を結束する。つまり、結束部材５０は、束ねられた複数のボンダーキャップ３０に対して、ボンダーキャップ３０の長さ方向における先端部３１寄りの位置に巻き付ける。
【００２８】
なお、結束部材５０によって結束する複数のボンダーキャップ３０は、同じ大きさでなくてもよい。複数のボンダーキャップ３０は、径や長さが互いに異なるものが用いられてもよい。
【００２９】
また、複数のボンダーキャップ３０を結束部材５０によって結束する際には、ボンダーキャップ３０の長さ方向におけるボンダーキャップ３０同士の相対的な位置は、厳密に揃ってなくてもよい。例えば、本実施形態では、収容部２０の底部２２（図５参照）は段差を有しているため、複数のボンダーキャップ３０は、収容部２０の底部２２は段差に合わせて、図７に示すようにボンダーキャップ３０の長さ方向における相対的な位置をずらした状態で、結束部材５０によって結束してもよい。
【００３０】
図８は、図７に示す複数のボンダーキャップ３０を収容部２０に収容した状態を示す要部断面図である。本実施形態に係る電気接続箱１は、筐体１０に設けられたボンダーキャップ３０の収容構造１００を備え、収容構造１００は、ボンダーキャップ３０を被せた複数の電線束４５と、結束部材５０と、収容部２０とを備える。本実施形態に係るボンダーキャップ３０の収容構造１００は、複数のボンダーキャップ３０が収容部２０に収容されるが、収容部２０は、結束部材５０によって結束された複数のボンダーキャップ３０を、１つの収容部２０で収容する。即ち、収容部２０には、結束部材５０によって結束された状態の複数のボンダーキャップ３０が開口部２５側から挿入され、収容部２０は、当該複数のボンダーキャップ３０を一体で収容する。収容部２０にボンダーキャップ３０を収容する際における向きは、ボンダーキャップ３０の先端部３１が収容部２０の底部２２側に位置する向きで収容する。これにより、収容部２０は、結束部材５０で結束されることにより一体となった複数のボンダーキャップ３０を、ボンダーキャップ３０の先端部３１が収容部２０の底部２２に接触する状態で収容する。
【００３１】
ここで、収容部２０は、第１方向Ｘや第２方向Ｙ等、第３方向Ｚに対して直交する所定方向における大きさが、結束部材５０によって結束された複数のボンダーキャップ３０の、収容部２０に収容する前の同方向における大きさよりも小さくなっている。また、ボンダーキャップ３０は、合成樹脂製の部材になっており、弾力性を有している。このため、複数のボンダーキャップ３０を収容部２０に挿入して収容する際には、圧入してボンダーキャップ３０を弾性変形させる状態で挿入する。これにより、収容部２０に収容後の複数のボンダーキャップ３０と、収容部２０を構成する壁部２１やフレーム１２の内壁１５との間には圧力が発生し、複数のボンダーキャップ３０は、この圧力に伴って発生する大きな摩擦力により、収容部２０から抜け難くなる。従って、収容部２０に収容された複数のボンダーキャップ３０は、下側に向かって開口する収容部２０の開口部２５から抜け落ち難くなり、収容部２０に収容された状態が維持される。
【００３２】
このように、ボンダーキャップ３０が収容部２０に収容された状態では、端部にボンダーキャップ３０が被せられる各電線４０は、ボンダーキャップ３０から第３方向Ｚにおける下側に延び、適宜配索される。
【００３３】
以上の実施形態に係るボンダーキャップ３０の収容構造１００は、複数のボンダーキャップ３０を一体にした状態で結束部材５０を巻き付けることにより複数のボンダーキャップ３０を結束し、結束部材５０によって結束された複数のボンダーキャップ３０を一体で収容部２０によって収容する。これにより、複数の電線４０にボンダーキャップ３０を被せた電線束４５が複数用いられる場合でも、複数の電線束４５のボンダーキャップ３０をまとめて収容部２０に収容することができ、ボンダーキャップ３０の組み付け作業が煩雑になることを抑制することができる。従って、ボンダーキャップ３０が複数用いられる場合でも、複数のボンダーキャップ３０を容易に組み付けることができる。この結果、組み付け作業の容易性を確保することができる。
【００３４】
また、ボンダーキャップ３０が複数用いられる場合でも、複数のボンダーキャップ３０を１つずつ収容部２０に収容する必要が無くなるため、ボンダーキャップ３０を収容する時間の短縮化を図ることができ、組み付け作業の短縮化を図ることができる。この結果、製造コストの低減を図ることができる。
【００３５】
また、ボンダーキャップ３０が複数用いられる場合でも、収容部２０は１つで良いため、収容部２０を形成する壁部２１の数を抑えることができる。これにより、筐体１０の製造に用いる材料費を抑えることができる。さらに、壁部２１の数を抑えることにより、筐体１０の小型化を図ることができる。これらの結果、製造コストを低減すると共に、複数のボンダーキャップ３０を収容する収容部２０が設けられる電気接続箱１の小型化を図ることができる。
【００３６】
また、結束部材５０は、ボンダーキャップ３０における先端側の位置、即ち、先端部３１寄りの位置で複数のボンダーキャップ３０を結束するため、ボンダーキャップ３０の長さ方向における先端部３１側の反対側の位置での拘束力を低減することができる。つまり、複数のボンダーキャップ３０を結束部材５０によって結束する際には、結束部材５０を巻き付けることによって結束するため、結束部材５０からボンダーキャップ３０に対しては、複数のボンダーキャップ３０を拘束する力である拘束力が発生する。結束部材５０からボンダーキャップ３０に対して付与される拘束力は、結束部材５０が巻き付けられている位置が最も強く、結束部材５０が巻き付けられている位置から離れるに従って、拘束力は弱くなる。このため、ボンダーキャップ３０における先端部３１寄りの位置で、結束部材５０によって複数のボンダーキャップ３０を結束した場合には、ボンダーキャップ３０の長さ方向における先端部３１側の反対側の位置では、結束部材５０による拘束力は弱くなる。
【００３７】
ボンダーキャップ３０は、合成樹脂製の部材であることにより弾力性を有しているため、複数のボンダーキャップ３０を結束部材５０によって結束した際には、結束部材５０が巻き付けられた位置では、結束部材５０による拘束力によって弾性変形し、第３方向Ｚに直交する方向の大きさが小さくなり易くなる。これに対し、結束部材５０から離れた位置、即ち、ボンダーキャップ３０の長さ方向における先端部３１側の反対側の位置では、結束部材５０による拘束力は弱まるため、第３方向Ｚに直交する方向の大きさが小さくなり難くなる。
【００３８】
このため、ボンダーキャップ３０の長さ方向における先端部３１側の反対側の位置では、複数のボンダーキャップ３０を収容部２０に収容した際に、収容部２０を構成する壁部２１やフレーム１２の内壁１５と、ボンダーキャップ３０との間で圧力を発生させ易くすることができる。これにより、複数のボンダーキャップ３０と収容部２０との間の摩擦力を確保し易くすることができる。この結果、収容部２０に収容された複数のボンダーキャップ３０が収容部２０から抜けることを抑制することができる。
【００３９】
また、複数のボンダーキャップ３０を結束部材５０で結束する際に、ボンダーキャップ３０における先端部３１寄りの位置に結束部材５０を巻き付けることにより、複数のボンダーキャップ３０が束ねられた全体形状を、先端部３１側が先細りになる形状にすることができる。これにより、結束部材５０で結束した複数のボンダーキャップ３０を収容部２０に収容する際に、収容部２０に挿入し易くすることができる。さらに、ボンダーキャップ３０における先端部３１寄りの位置に結束部材５０を巻き付けた場合、複数のボンダーキャップ３０が束ねられた全体形状は、先端部３１側の反対側が広がり易くなる。これにより、収容部２０に挿入した複数のボンダーキャップ３０は、収容部２０から抜け難くなる。これらの結果、複数のボンダーキャップ３０を、収容部２０に対して挿入し易く、且つ、収容部２０から抜け難くすることができる。
【００４０】
また、実施形態に係る電気接続箱１は、電子部品５を収容する筐体１０に本実施形態に係るボンダーキャップ３０の収容構造１００が用いられるため、ボンダーキャップ３０が複数用いられる場合でも、複数のボンダーキャップ３０をまとめて収容部２０に収容することができる。従って、複数のボンダーキャップ３０を容易に組み付けることができ、この結果、組み付け作業の容易性を確保することができる。
【００４１】
また、実施形態に係るワイヤハーネスＷＨは、導電性を有する配索材Ｗと電気接続箱１とを備え、電気接続箱１は、筐体１０に本実施形態に係るボンダーキャップ３０の収容構造１００が用いられるため、ボンダーキャップ３０が複数用いられる場合でも、複数のボンダーキャップ３０を容易に組み付けることができる。この結果、組み付け作業の容易性を確保することができる。
【００４２】
また、実施形態に係る電気接続箱１では、筐体１０が有するフレーム１２の内壁１５におけるベース１７の下側に、コネクタホルダ１６が配置されている。これにより、電気接続箱１の筐体１０内での、他の部品が接続される部位の配置構造を、第３方向Ｚへの積層構造にすることができ、省スペース化を図ることができる。この結果、電気接続箱１のコンパクト化を図ることができる。
【００４３】
また、コネクタホルダ１６を、フレーム１２の内壁１５におけるベース１７の下側に配置することにより、コネクタホルダ１６に接続するジョイントコネクタ６から延びる電線の向きを、第３方向Ｚに交差する方向にすることができる。ベース１７から延びる電線の向きは、第３方向Ｚにおける下側の延びるため、ジョイントコネクタ６から延びる電線の向きを、第３方向Ｚに交差する方向にすることにより、ジョイントコネクタ６から延びる電線と、ベース１７から延びる電線とを接触させることにより、電線が延びる方向を、互いに規制することができる。これにより、電線の配索時に、電線が不必要に移動することを抑制することができ、電線の噛み込みを抑制することができる。
【００４４】
［変形例］
なお、上述した実施形態では、複数のボンダーキャップ３０を結束する結束部材５０には粘着テープが用いられているが、結束部材５０には、粘着テープ以外が用いられてもよい。結束部材５０には、例えば、伸縮可能なゴム製のバンドや、樹脂製のいわゆる結束バンドが用いられてもよい。結束部材５０は、結束時の周長を、結束するボンダーキャップ３０に合わせて適宜変化させることができるものを用いることにより、ボンダーキャップ３０の構成に関わらず、適切に結束することができる。
【００４５】
また、上述した実施形態では、収容部２０は、第３方向Ｚに見た場合における形状が略矩形状の形状になっているが、収容部２０は、矩形状以外の形状であってもよい。収容部２０の形状は、筐体１０内の他の部位の形態等に応じて、適宜設定されるのが好ましい。
【００４６】
また、上述した実施形態では、収容部２０は、筐体１０の内部に１つが設けられているが、収容部２０は、筐体１０の内部に複数が設けられていてもよい。収容部２０は、結束部材５０によって結束された複数のボンダーキャップ３０を一体で収容することができるように構成されていれば、筐体１０の内部に配設される収容部２０の数は問わない。
【００４７】
また、上述した本発明の実施形態、変形例に係る電気部材締結構造及び電気接続箱は、上述した実施形態、変形例に限定されず、特許請求の範囲に記載された範囲で種々の変更が可能である。本実施形態、変形例に係る電気部材締結構造及び電気接続箱は、以上で説明した各実施形態、変形例の構成要素を適宜組み合わせることで構成してもよい。
【符号の説明】
【００４８】
１  電気接続箱
５  電子部品
６  ジョイントコネクタ
１０  筐体
１２  フレーム
１３  アンダーカバー
１５  内壁
１６  コネクタホルダ
１７  ベース
２０  収容部
２１  壁部
２２  底部
２５  開口部
３０  ボンダーキャップ
３１  先端部
４０  電線
４１  導体部
４５  電線束
５０  結束部材
１００  収容構造
Ｗ  配索材
ＷＨ  ワイヤハーネス
【図１】
2020089158.tif 000003
【図２】
2020089158.tif 000004
【図３】
2020089158.tif 000005
【図４】
2020089158.tif 000006
【図５】
2020089158.tif 000007
【図６】
2020089158.tif 000008
【図７】
2020089158.tif 000009
【図８】
2020089158.tif 000010